(57)【要約】【課題】本開示は、同一周波数帯の複数のレーダ送信装置を備えるレーダシステムにおいて、レーダ送信装置を増やしても、除去されるスイープ数を増やさず、干渉を受けるスイープ数を増やさず、システムの配置の制約を高くせず、やり取りする情報量を増やさず、互いの干渉を抑圧することを目的とする。【解決手段】本開示は、同一周波数帯の複数のレーダ送信装置２Ａ、２Ｂ、２Ｃ、２Ｄと、複数のレーダ送信装置２Ａ、２Ｂ、２Ｃ、２Ｄの間の干渉を抑圧するように、複数のレーダ送信装置２Ａ、２Ｂ、２Ｃ、２Ｄの送信アンテナ方向及び／又は送信タイミングを制御するレーダ制御装置１と、を備えることを特徴とするレーダシステムＲである。【選択図】図１
2018040663.tif 000002
【特許請求の範囲】
【請求項１】
同一周波数帯の複数のレーダ送信装置と、
前記複数のレーダ送信装置の間の干渉を抑圧するように、前記複数のレーダ送信装置を制御するレーダ制御装置と、
を備えることを特徴とするレーダシステム。
【請求項２】
前記レーダ制御装置は、前記複数のレーダ送信装置の送信アンテナ方向を制御することを特徴とする、請求項１に記載のレーダシステム。
【請求項３】
前記レーダ制御装置は、前記複数のレーダ送信装置のアンテナ回転速度が互いに異なる場合に、前記複数のレーダ送信装置から送信アンテナ方向の情報を収集し、前記複数のレーダ送信装置の間の干渉タイミングを予測し、前記干渉タイミングに関わる前記複数のレーダ送信装置の少なくともいずれかに対して、前記干渉タイミングにおいてレーダ送信を停止させることを特徴とする、請求項２に記載のレーダシステム。
【請求項４】
前記レーダ制御装置は、前記複数のレーダ送信装置のアンテナ回転速度が互いに異なる場合に、前記複数のレーダ送信装置から送信アンテナ方向の情報を収集し、前記複数のレーダ送信装置の間の干渉タイミングを予測し、前記干渉タイミングに関わる前記複数のレーダ送信装置の少なくともいずれかに対して、前記干渉タイミングが発生しないようにアンテナ回転速度を調整することを特徴とする、請求項２に記載のレーダシステム。
【請求項５】
前記レーダ制御装置は、前記複数のレーダ送信装置の送信タイミングを制御することを特徴とする、請求項１から４のいずれかに記載のレーダシステム。
【請求項６】
前記レーダ制御装置は、前記複数のレーダ送信装置の基準クロック周期が互いに異なる場合に、前記複数のレーダ送信装置から送信タイミングの情報を収集し、前記複数のレーダ送信装置の間の干渉タイミングを予測し、前記干渉タイミングに関わる前記複数のレーダ送信装置の少なくともいずれかに対して、前記干渉タイミングにおいてレーダ送信を停止させることを特徴とする、請求項５に記載のレーダシステム。
【請求項７】
前記レーダ制御装置は、前記複数のレーダ送信装置の基準クロック周期が互いに異なる場合に、前記複数のレーダ送信装置から送信タイミングの情報を収集し、前記複数のレーダ送信装置の間の干渉タイミングを予測し、前記干渉タイミングに関わる前記複数のレーダ送信装置の少なくともいずれかに対して、前記干渉タイミングが発生しないように送信周期内クロック数を調整することを特徴とする、請求項５に記載のレーダシステム。
【請求項８】
前記複数のレーダ送信装置は、測位衛星装置からの時刻同期信号に基づいて、又は、前記レーダ制御装置と前記複数のレーダ送信装置の間の伝送遅延時間に関する補正がなされた、前記レーダ制御装置からの時刻同期信号に基づいて、前記レーダ制御装置と時刻同期を図ることを特徴とする、請求項１から７のいずれかに記載のレーダシステム。
【発明の詳細な説明】
【技術分野】
【０００１】
本開示は、同一周波数帯の複数のレーダ送信装置を備えるレーダシステムに関する。
【背景技術】
【０００２】
同一周波数帯の複数のレーダ送信装置を用いて、同一覆域を探査することにより、ターゲットの探知性能の向上を見込める（例えば、特許文献１〜３を参照。）。
【先行技術文献】
【特許文献】
【０００３】
【特許文献１】特開２００４−３２５１３０号公報
【特許文献２】特開平０７−３３３３２８号公報
【特許文献３】特開平１１−１４２５０３号公報
【発明の概要】
【発明が解決しようとする課題】
【０００４】
しかし、同一周波数帯の複数のレーダ送信装置において、互いの干渉が問題となる。そこで、以下に記載の第１から第４までの対策が講じられてきた。
【０００５】
第１の対策として、干渉を受けたと判断したスイープを除去していた。しかし、レーダ送信装置が増えるにつれて、除去されるスイープ数が増えてしまう。
【０００６】
第２の対策として、送信タイミングをランダムに変化させていた。しかし、レーダ送信装置が増えるにつれて、干渉を受けるスイープ数が増えてしまう。
【０００７】
第３の対策として、他のレーダ送信装置の方向に電波を出さない、レーダ送信装置の間に電波の遮蔽物を置く、レーダ送信装置の間に一定の距離をとる、等の対策を講じてきた。しかし、レーダ送信装置が増えるにつれて、システムの配置の制約が高くなる。
【０００８】
第４の対策として、特許文献１〜３に開示されているように、レーダ送信装置の間において、送信アンテナ方向又は送信タイミングについて、情報をやり取りしていた。しかし、レーダ送信装置が増えるにつれて、やり取りする情報量が増えてしまう。
【０００９】
そこで、前記課題を解決するために、本開示は、同一周波数帯の複数のレーダ送信装置を備えるレーダシステムにおいて、レーダ送信装置を増やしても、除去されるスイープ数を増やさず、干渉を受けるスイープ数を増やさず、システムの配置の制約を高くせず、やり取りする情報量を増やさず、互いの干渉を抑圧することを目的とする。
【課題を解決するための手段】
【００１０】
上記目的を達成するために、同一周波数帯の複数のレーダ送信装置の間の干渉を抑圧するように、同一周波数帯の複数のレーダ送信装置を中央制御することとした。
【００１１】
具体的には、本開示は、同一周波数帯の複数のレーダ送信装置と、前記複数のレーダ送信装置の間の干渉を抑圧するように、前記複数のレーダ送信装置を制御するレーダ制御装置と、を備えることを特徴とするレーダシステムである。
【００１２】
この構成によれば、分散制御ではなく中央制御を行うため、同一周波数帯の複数のレーダ送信装置を備えるレーダシステムにおいて、レーダ送信装置を増やしても、除去されるスイープ数を増やさず、干渉を受けるスイープ数を増やさず、システムの配置の制約を高くせず、やり取りする情報量を増やさず、互いの干渉を抑圧することができる。
【００１３】
また、本開示は、前記レーダ制御装置は、前記複数のレーダ送信装置の送信アンテナ方向を制御することを特徴とするレーダシステムである。
【００１４】
この構成によれば、一のレーダ送信装置の送信アンテナ方向が他のレーダ送信装置の送信アンテナ方向と対向することが回避されるため、互いの干渉を抑圧することができる。
【００１５】
また、本開示は、前記レーダ制御装置は、前記複数のレーダ送信装置のアンテナ回転速度が互いに異なる場合に、前記複数のレーダ送信装置から送信アンテナ方向の情報を収集し、前記複数のレーダ送信装置の間の干渉タイミングを予測し、前記干渉タイミングに関わる前記複数のレーダ送信装置の少なくともいずれかに対して、前記干渉タイミングにおいてレーダ送信を停止させることを特徴とするレーダシステムである。
【００１６】
複数のレーダ送信装置のアンテナ回転速度が互いに異なる場合には、最初に複数のレーダ送信装置の送信アンテナ方向が対向しないように中央制御されていても、次第にいくつかのレーダ送信装置の送信アンテナ方向が対向するようになることが起こり得る。この構成によれば、いくつかのレーダ送信装置の送信アンテナ方向が対向するタイミングを予測したうえで、予測したタイミングが到来したときには、それらのレーダ送信装置のレーダ送信を停止することにより、互いの干渉を抑圧することができる。
【００１７】
また、本開示は、前記レーダ制御装置は、前記複数のレーダ送信装置のアンテナ回転速度が互いに異なる場合に、前記複数のレーダ送信装置から送信アンテナ方向の情報を収集し、前記複数のレーダ送信装置の間の干渉タイミングを予測し、前記干渉タイミングに関わる前記複数のレーダ送信装置の少なくともいずれかに対して、前記干渉タイミングが発生しないようにアンテナ回転速度を調整することを特徴とするレーダシステムである。
【００１８】
複数のレーダ送信装置のアンテナ回転速度が互いに異なる場合には、最初に複数のレーダ送信装置の送信アンテナ方向が対向しないように中央制御されていても、次第にいくつかのレーダ送信装置の送信アンテナ方向が対向するようになることが起こり得る。この構成によれば、いくつかのレーダ送信装置の送信アンテナ方向が対向するタイミングを予測したうえで、予測したタイミングが回避されるように、それらのレーダ送信装置のアンテナ回転速度を調整することにより、互いの干渉を抑圧することができる。
【００１９】
また、本開示は、前記レーダ制御装置は、前記複数のレーダ送信装置の送信タイミングを制御することを特徴とするレーダシステムである。
【００２０】
この構成によれば、一のレーダ送信装置の送信タイミングが他のレーダ送信装置の受信タイミングと重複することが回避されるため、互いの干渉を抑圧することができる。
【００２１】
また、本開示は、前記レーダ制御装置は、前記複数のレーダ送信装置の基準クロック周期が互いに異なる場合に、前記複数のレーダ送信装置から送信タイミングの情報を収集し、前記複数のレーダ送信装置の間の干渉タイミングを予測し、前記干渉タイミングに関わる前記複数のレーダ送信装置の少なくともいずれかに対して、前記干渉タイミングにおいてレーダ送信を停止させることを特徴とするレーダシステムである。
【００２２】
複数のレーダ送信装置の基準クロック周期が互いに異なる場合には、最初に複数のレーダ送信装置の送受信タイミングが重複しないように中央制御されていても、次第にいくつかのレーダ送信装置の送受信タイミングが重複するようになることが起こり得る。この構成によれば、いくつかのレーダ送信装置の送受信タイミングが重複するタイミングを予測したうえで、予測したタイミングが到来したときには、それらのレーダ送信装置のレーダ送信を停止することにより、互いの干渉を抑圧することができる。
【００２３】
また、本開示は、前記レーダ制御装置は、前記複数のレーダ送信装置の基準クロック周期が互いに異なる場合に、前記複数のレーダ送信装置から送信タイミングの情報を収集し、前記複数のレーダ送信装置の間の干渉タイミングを予測し、前記干渉タイミングに関わる前記複数のレーダ送信装置の少なくともいずれかに対して、前記干渉タイミングが発生しないように送信周期内クロック数を調整することを特徴とするレーダシステムである。
【００２４】
複数のレーダ送信装置の基準クロック周期が互いに異なる場合には、最初に複数のレーダ送信装置の送受信タイミングが重複しないように中央制御されていても、次第にいくつかのレーダ送信装置の送受信タイミングが重複するようになることが起こり得る。この構成によれば、いくつかのレーダ送信装置の送受信タイミングが重複するタイミングを予測したうえで、予測したタイミングが回避されるように、それらのレーダ送信装置の送信周期内クロック数を調整することにより、互いの干渉を抑圧することができる。
【００２５】
また、本開示は、前記複数のレーダ送信装置は、測位衛星装置からの時刻同期信号に基づいて、又は、前記レーダ制御装置と前記複数のレーダ送信装置の間の伝送遅延時間に関する補正がなされた、前記レーダ制御装置からの時刻同期信号に基づいて、前記レーダ制御装置と時刻同期を図ることを特徴とするレーダシステムである。
【００２６】
この構成によれば、複数のレーダ送信装置は、互いにずれのない時刻同期信号に基づいて、レーダ制御装置による中央制御に従うため、互いの干渉をさらに確実に抑圧することができる。
【発明の効果】
【００２７】
このように、本開示によれば、同一周波数帯の複数のレーダ送信装置を備えるレーダシステムにおいて、レーダ送信装置を増やしても、除去されるスイープ数を増やさず、干渉を受けるスイープ数を増やさず、システムの配置の制約を高くせず、やり取りする情報量を増やさず、互いの干渉を抑圧することができる。
【図面の簡単な説明】
【００２８】
【図１】本開示のレーダシステムの構成を示すブロック図である。
【図２】本開示の複数のレーダ送信装置の送信アンテナ方向の制御方法を示す図である。
【図３】本開示の複数のレーダ送信装置の送信アンテナ方向の制御方法を示す図である。
【図４】本開示の複数のレーダ送信装置の送信タイミングの制御方法を示す図である。
【図５】本開示の複数のレーダ送信装置の送信タイミングの制御方法を示す図である。
【図６】本開示の複数のレーダ送信装置の送信タイミングの制御方法を示す図である。
【発明を実施するための形態】
【００２９】
添付の図面を参照して本開示の実施形態を説明する。以下に説明する実施形態は本開示の実施の例であり、本開示は以下の実施形態に制限されるものではない。
【００３０】
本開示のレーダシステムの構成を図１に示す。レーダシステムＲは、レーダ制御装置１及びレーダ送信装置２Ａ、２Ｂ、２Ｃ、２Ｄから構成される。レーダ送信装置２Ａ、２Ｂ、２Ｃ、２Ｄは、同一周波数帯の複数のレーダ送信装置である。レーダ制御装置１は、レーダ送信装置２Ａ、２Ｂ、２Ｃ、２Ｄの間の干渉を抑圧するように、レーダ送信装置２Ａ、２Ｂ、２Ｃ、２Ｄの送信アンテナ方向及び／又は送信タイミングを制御する。
【００３１】
レーダ制御装置１は、送信アンテナ方向制御部１１、送信タイミング制御部１２及び時刻同期信号生成部１３から構成される。送信アンテナ方向制御部１１は、レーダ送信装置２Ａ、２Ｂ、２Ｃ、２Ｄの送信アンテナ方向を制御する。送信タイミング制御部１２は、レーダ送信装置２Ａ、２Ｂ、２Ｃ、２Ｄの送信タイミングを制御する。
【００３２】
このように、送信アンテナ方向制御部１１及び送信タイミング制御部１２は、分散制御ではなく中央制御を行うため、以下に記載の第１から第４までの効果を奏する。
【００３３】
第１の効果として、干渉を受けたと判断したスイープを除去する必要がない。よって、同一周波数帯の複数のレーダ送信装置を備えるレーダシステムにおいて、レーダ送信装置を増やしても、除去されるスイープ数を増やさず、互いの干渉を抑圧することができる。
【００３４】
第２の効果として、送信タイミングをランダムに変化させる必要がない。よって、同一周波数帯の複数のレーダ送信装置を備えるレーダシステムにおいて、レーダ送信装置を増やしても、干渉を受けるスイープ数を増やさず、互いの干渉を抑圧することができる。
【００３５】
第３の効果として、他のレーダ送信装置の方向に電波を出さない、レーダ送信装置の間に電波の遮蔽物を置く、レーダ送信装置の間に一定の距離をとる、等の対策を講じる必要がない。つまり、レーダ送信装置の間の距離を近づけることができる。よって、同一周波数帯の複数のレーダ送信装置を備えるレーダシステムにおいて、レーダ送信装置を増やしても、システムの配置の制約を高くせず、互いの干渉を抑圧することができる。
【００３６】
第４の効果として、レーダ送信装置の間において、送信アンテナ方向又は送信タイミングについて、情報をやり取りする必要がない。よって、同一周波数帯の複数のレーダ送信装置を備えるレーダシステムにおいて、レーダ送信装置を増やしても、やり取りする情報量を増やさず、互いの干渉を抑圧することができる。
【００３７】
ここで、レーダ送信装置２Ａ、２Ｂ、２Ｃ、２Ｄは、以下に記載の方法で取得した時刻同期信号に基づいて、レーダ制御装置１と時刻同期を図る。よって、レーダ送信装置２Ａ、２Ｂ、２Ｃ、２Ｄは、互いにずれのない時刻同期信号に基づいて、レーダ制御装置１による中央制御に従うため、互いの干渉をさらに確実に抑圧することができる。
【００３８】
例えば、レーダ送信装置２Ａ、２Ｂ、２Ｃ、２Ｄは、測位衛星装置３から時刻同期信号を取得することができる。又は、レーダ送信装置２Ａ、２Ｂ、２Ｃ、２Ｄは、時刻同期信号生成部１３から時刻同期信号を取得することができる。ただし、レーダ制御装置１とレーダ送信装置２Ａ、２Ｂ、２Ｃ、２Ｄの間の伝送遅延時間に関する補正が必要である。
【００３９】
本開示の複数のレーダ送信装置の送信アンテナ方向の制御方法を図２、３に示す。ただし、一のレーダ送信装置の送信アンテナ方向が他のレーダ送信装置の送信アンテナ方向と対向することが回避されるならば、本開示は図２、３に示した具体例に限定されない。ここで、「送信アンテナ方向同士が対向すること」は、一の送信アンテナの正面方向が他の送信アンテナの正面方向と真正面に対向することのみならず、一の送信アンテナの指向性範囲が他の送信アンテナの指向性範囲と重複することも含んでいる。
【００４０】
図２では、レーダ送信装置２Ａ、２Ｂ、２Ｃ、２Ｄのアンテナ回転速度が互いに同一の場合を示す。送信アンテナ方向制御部１１は、レーダ送信装置２Ａ、２Ｂ、２Ｃ、２Ｄのある指定時刻における送信アンテナ方向の情報を、それぞれ、レーダ送信装置２Ａ、２Ｂ、２Ｃ、２Ｄに対して送信アンテナ方向の制御信号として伝送する。
【００４１】
図２では、レーダ送信装置２Ａは、その指定時刻において、送信アンテナ方向を紙面上の右上方向に向け、紙面上の時計回り（アンテナ回転速度ω）に回す。レーダ送信装置２Ｂも、その指定時刻において、送信アンテナ方向を紙面上の右上方向に向け、紙面上の時計回り（アンテナ回転速度ω）に回す。レーダ送信装置２Ｃも、その指定時刻において、送信アンテナ方向を紙面上の右上方向に向け、紙面上の時計回り（アンテナ回転速度ω）に回す。レーダ送信装置２Ｄも、その指定時刻において、送信アンテナ方向を紙面上の右上方向に向け、紙面上の時計回り（アンテナ回転速度ω）に回す。
【００４２】
図３では、レーダ送信装置２Ａ、２Ｂ、２Ｃ、２Ｄのアンテナ回転速度が互いに異なる場合を示す。図３では、図２の発展系としているが、その他の発展系としてもよい。
【００４３】
複数のレーダ送信装置のアンテナ回転速度が互いに異なる場合には、最初に複数のレーダ送信装置の送信アンテナ方向が対向しないように中央制御されていても、次第にいくつかのレーダ送信装置の送信アンテナ方向が対向するようになることが起こり得る。
【００４４】
具体的には、図３の左欄に示したように、初期状態において、レーダ送信装置２Ａ、２Ｂ、２Ｃ、２Ｄの間の干渉が発生していない。しかし、レーダ送信装置２Ａ、２Ｂ、２Ｃ、２Ｄのアンテナ回転速度が互いに異なる。よって、図３の右上欄に示したように、時間経過につれて、レーダ送信装置２Ａ、２Ｂの間の干渉が発生する可能性がある。
【００４５】
そこで、第１の方法として、送信アンテナ方向制御部１１は、複数のレーダ送信装置から送信アンテナ方向の情報を収集し、複数のレーダ送信装置の間の干渉タイミングを予測し、その干渉タイミングに関わる複数のレーダ送信装置の少なくともいずれかに対して、その干渉タイミングにおいてレーダ送信を停止させる。
【００４６】
具体的には、図３の右上欄に示したように、送信アンテナ方向制御部１１は、その干渉タイミングに関わるレーダ送信装置２Ａ、２Ｂに対して、その干渉タイミングにおいてレーダ送信を停止させる。ここで、レーダ送信装置２Ａ、２Ｂのアンテナ回転速度を、初期状態におけるω＋ΔωＡ、ω＋ΔωＢから、時間経過につれて変化させるわけではない。
【００４７】
そして、第２の方法として、送信アンテナ方向制御部１１は、複数のレーダ送信装置から送信アンテナ方向の情報を収集し、複数のレーダ送信装置の間の干渉タイミングを予測し、その干渉タイミングに関わる複数のレーダ送信装置の少なくともいずれかに対して、その干渉タイミングが発生しないようにアンテナ回転速度を調整する。
【００４８】
具体的には、図３の右下欄に示したように、送信アンテナ方向制御部１１は、その干渉タイミングに関わるレーダ送信装置２Ａ、２Ｂに対して、その干渉タイミングが発生しないようにアンテナ回転速度を調整する。つまり、レーダ送信装置２Ａ、２Ｂのアンテナ回転速度を、初期状態におけるω＋ΔωＡ、ω＋ΔωＢから、時間経過後におけるω＋ΔωＡ’、ω＋ΔωＢ’へと、変化させることにより、その干渉タイミング自体を回避する。
【００４９】
本開示の複数のレーダ送信装置の送信タイミングの制御方法を図４〜６に示す。ただし、一のレーダ送信装置の送信タイミングが他のレーダ送信装置の受信タイミングと重複することが回避されるならば、本開示は図４〜６に示した具体例に限定されない。
【００５０】
図４、５では、レーダ送信装置２Ａ、２Ｂ、２Ｃ、２Ｄの基準クロック周期が互いに同一の場合を示す。送信タイミング制御部１２は、レーダ送信装置２Ａ、２Ｂ、２Ｃ、２Ｄのある指定時刻を基準とする送信タイミングの情報を、それぞれ、レーダ送信装置２Ａ、２Ｂ、２Ｃ、２Ｄに対して送信タイミングの制御信号として伝送する。
【００５１】
図４では、レーダ送信装置２Ａは、その指定時刻を基準として、送信タイミングを送信周期（クロック数ｎＡ、ただし、ｎＡ≠ｎＢ、ｎＡ≠ｎＣ、ｎＡ≠ｎＤ）で計る。レーダ送信装置２Ｂは、その指定時刻を基準として、送信タイミングを送信周期（クロック数ｎＢ、ただし、ｎＢ≠ｎＡ、ｎＢ≠ｎＣ、ｎＢ≠ｎＤ）で計る。レーダ送信装置２Ｃは、その指定時刻を基準として、送信タイミングを送信周期（クロック数ｎＣ、ただし、ｎＣ≠ｎＡ、ｎＣ≠ｎＢ、ｎＣ≠ｎＤ）で計る。レーダ送信装置２Ｄは、その指定時刻を基準として、送信タイミングを送信周期（クロック数ｎＤ、ただし、ｎＤ≠ｎＡ、ｎＤ≠ｎＢ、ｎＤ≠ｎＣ）で計る。
【００５２】
図５では、レーダ送信装置２Ａは、その指定時刻から所定ずれ時間（クロック数ｍＡ、ただし、ｍＡ≠ｍＢ、ｍＡ≠ｍＣ、ｍＡ≠０）後を基準として、送信タイミングを送信周期（クロック数ｎ）で計る。レーダ送信装置２Ｂは、その指定時刻から所定ずれ時間（クロック数ｍＢ、ただし、ｍＢ≠ｍＡ、ｍＢ≠ｍＣ、ｍＢ≠０）後を基準として、送信タイミングを送信周期（クロック数ｎ）で計る。レーダ送信装置２Ｃは、その指定時刻から所定ずれ時間（クロック数ｍＣ、ただし、ｍＣ≠ｍＡ、ｍＣ≠ｍＢ、ｍＣ≠０）後を基準として、送信タイミングを送信周期（クロック数ｎ）で計る。レーダ送信装置２Ｄは、その指定時刻を基準として、送信タイミングを送信周期（クロック数ｎ）で計る。
【００５３】
図６では、レーダ送信装置２Ａ、２Ｂ、２Ｃ、２Ｄの基準クロック周期が互いに異なる場合を示す。図６では、図５の発展系としているが、図４の発展系としてもよい。
【００５４】
複数のレーダ送信装置の基準クロック周期が互いに異なる場合には、最初に複数のレーダ送信装置の送受信タイミングが重複しないように中央制御されていても、次第にいくつかのレーダ送信装置の送受信タイミングが重複するようになることが起こり得る。
【００５５】
具体的には、図６の左欄に示したように、初期状態において、レーダ送信装置２Ａ、２Ｂ、２Ｃ、２Ｄの間の干渉が発生していない。しかし、レーダ送信装置２Ａ、２Ｂ、２Ｃ、２Ｄの基準クロック周期が互いに異なる。よって、図６の右上欄に示したように、時間経過につれて、レーダ送信装置２Ａ、２Ｂの間の干渉が発生する可能性がある。
【００５６】
そこで、第１の方法として、送信タイミング制御部１２は、複数のレーダ送信装置から送信タイミングの情報を収集し、複数のレーダ送信装置の間の干渉タイミングを予測し、その干渉タイミングに関わる複数のレーダ送信装置の少なくともいずれかに対して、その干渉タイミングにおいてレーダ送信を停止させる。
【００５７】
具体的には、図６の右上欄に示したように、送信タイミング制御部１２は、その干渉タイミングに関わるレーダ送信装置２Ａ、２Ｂに対して、その干渉タイミングにおいてレーダ送信を停止させる。ここで、レーダ送信装置２Ａ、２Ｂの送信周期内クロック数を、初期状態におけるｎから、時間経過につれて変化させるわけではない。
【００５８】
そして、第２の方法として、送信タイミング制御部１２は、複数のレーダ送信装置から送信タイミングの情報を収集し、複数のレーダ送信装置の間の干渉タイミングを予測し、その干渉タイミングに関わる複数のレーダ送信装置の少なくともいずれかに対して、その干渉タイミングが発生しないように送信周期内クロック数を調整する。
【００５９】
具体的には、図６の右下欄に示したように、送信タイミング制御部１２は、その干渉タイミングに関わるレーダ送信装置２Ａ、２Ｂに対して、その干渉タイミングが発生しないように送信周期内クロック数を調整する。つまり、レーダ送信装置２Ａ、２Ｂの送信周期内クロック数を、初期状態におけるｎから、時間経過後におけるｎ＋ΔｎＡ、ｎ＋ΔｎＢへと、変化させることにより、その干渉タイミング自体を回避する。
【産業上の利用可能性】
【００６０】
本開示のレーダシステムは、交通量計測等において、レーダ送信装置を増やしても、除去されるスイープ数を増やさず、干渉を受けるスイープ数を増やさず、システムの配置の制約を高くせず、やり取りする情報量を増やさず、互いの干渉を抑圧することができる。
【符号の説明】
【００６１】
Ｒ：レーダシステム
１：レーダ制御装置
２Ａ、２Ｂ、２Ｃ、２Ｄ：レーダ送信装置
３：測位衛星装置
１１：送信アンテナ方向制御部
１２：送信タイミング制御部
１３：時刻同期信号生成部
【図１】
2018040663.tif 000003
【図２】
2018040663.tif 000004
【図３】
2018040663.tif 000005
【図４】
2018040663.tif 000006
【図５】
2018040663.tif 000007
【図６】
2018040663.tif 000008